【手続補正書】
【提出日】平成28年3月10日(2016.3.10)
【手続補正１】
【補正対象書類名】特許請求の範囲
【補正対象項目名】全文
【補正方法】変更
【補正の内容】
【特許請求の範囲】
【請求項１】
同心円状の複数のゾーンを有する回折構造が設けられた光学部を備えており、該光学部によって少なくとも二つの焦点が与えられる回折型多焦点眼用レンズにおいて、
前記回折構造の一部または全部のゾーンがブレーズ形状の位相関数を有していると共に、
かかるブレーズ形状の位相関数を有するゾーンにおけるｉ番目のゾーンの内径ｒi-1 及び外径ｒi と、ｊ番目のゾーンの内径ｒj-1 及び外径ｒj と、該ゾーンとは異なる別のｃ番目のゾーンの内径ｒc-1 及び外径ｒc とを用いて表される下式数１と数２の少なくとも一方を満足するように、該ｉ番目と該ｊ番目と該ｃ番目のそれぞれのゾーンの位置が設定されていることを特徴とする回折型多焦点眼用レンズ。
【数１】
2014228660.tif 000001
【数２】
2014228660.tif 000002
【請求項２】
前記ｉ番目のゾーンと前記ｊ番目のゾーンを含む前記回折構造による少なくとも一つの前記焦点の像面上でのサイドバンド域における光振幅強度のピークが、前記ｃ番目のゾーンにより低減されている請求項１に記載の回折型多焦点眼用レンズ。
【請求項３】
前記少なくとも二つの焦点のうちの一つの焦点が、前記回折構造の０次回折光によって与えられる請求項１又は２に記載の回折型多焦点眼用レンズ。
【請求項４】
前記回折構造の０次回折光によって与えられる焦点が、遠方視用焦点とされている請求項３に記載の回折型多焦点眼用レンズ。
【請求項５】
前記光学部に設けられた前記同心円状の複数のゾーンを有する前記回折構造が、該ゾーンの間隔が等しい等間隔領域を有している請求項１〜４の何れか一項に記載の回折型多焦点眼用レンズ。
【請求項６】
前記等間隔領域における前記ゾーンのうちの一つのゾーンが前記ｉ番目のゾーンとされていると共に他の一つのゾーンが前記ｊ番目のゾーンとされている請求項５に記載の回折型多焦点眼用レンズ。
【請求項７】
前記ｃ番目のゾーンの位置が、前記ｉ番目のゾーンと前記ｊ番目のゾーンの何れに対しても等間隔とは異なるゾーン間隔で設定されている請求項６に記載の回折型多焦点眼用レンズ。
【請求項８】
前記等間隔領域の少なくとも一部において、間隔を等しくした少なくとも二つのゾーンが隣接して設けられている請求項５〜７の何れか一項に記載の回折型多焦点眼用レンズ。
【請求項９】
前記等間隔領域の少なくとも一部において、間隔を等しくした少なくとも二つのゾーンが隣接せずに離間して設けられている請求項５〜８の何れか一項に記載の回折型多焦点眼用レンズ。
【請求項１０】
前記回折構造における少なくとも一部において、フレネル間隔の周期構造を有する少なくとも二つのゾーンが設けられている請求項１〜９の何れか一項に記載の回折型多焦点眼用レンズ。
【請求項１１】
前記フレネル間隔の外径が、下式数３で与えられる請求項１０に記載の回折型多焦点眼用レンズ。
【数３】
2014228660.tif 000003
【請求項１２】
前記ブレーズ形状の位相関数が、下式数４で表わされる請求項１〜１１の何れか一項に記載の回折型多焦点眼用レンズ。
【数４】
2014228660.tif 000004
【請求項１３】
前記位相関数の位相ずれ量が、下式数５の範囲にある請求項１２に記載の回折型多焦点眼用レンズ。
【数５】
2014228660.tif 000005
【請求項１４】
前記回折構造が、位相に相当する光路長を反映したレリーフ構造によって構成されている請求項１〜１３の何れか一項に記載の回折型多焦点眼用レンズ。
【請求項１５】
同心円状の複数のゾーンを有する回折構造が設けられた光学部を備えていると共に、該回折構造の一部または全部のゾーンにおいてブレーズ形状の位相関数を有しており、且つ、該光学部によって少なくとも二つの焦点が与えられる回折型多焦点眼用レンズを製造するに際して、
前記ブレーズ形状の位相関数を有するゾーンにおけるｉ番目のゾーンの内径ｒi-1 及び外径ｒi と、ｊ番目のゾーンの内径ｒj-1 及び外径ｒj と、該ゾーンとは異なる別のｃ番目のゾーンの内径ｒc-1 及び外径ｒc とを、下式数６を用いて設定することによりそれら各ゾーン位置を決定するＣｏｓ関数利用工程と、
前記ブレーズ形状の位相関数を有するゾーンにおけるｉ番目のゾーンの内径ｒi-1 及び外径ｒi と、ｊ番目のゾーンの内径ｒj-1 及び外径ｒj と、該ゾーンとは異なる別のｃ番目のゾーンの内径ｒc-1 及び外径ｒc とを、下式数７を用いて設定することによりそれら各ゾーン位置を決定するＳｉｎｃ関数利用工程と
の少なくとも一方の工程を経て前記回折構造を設定して得られた該回折構造のプロファイルを前記光学部に反映することにより該光学部を形成することを特徴とする回折型多焦点眼用レンズの製造方法。
【数６】
2014228660.tif 000006
【数７】
2014228660.tif 000007
【請求項１６】
前記Ｃｏｓ関数利用工程と前記Ｓｉｎｃ関数利用工程との少なくとも一方の工程を経て前記回折構造を設定して得られた該回折構造のプロファイルを採用することにより、前記ｉ番目のゾーンと前記ｊ番目のゾーンを含む前記回折構造による少なくとも一つの前記焦点の像面上でのサイドバンド域における光振幅強度のピークが、前記ｃ番目のゾーンにより低減されるように前記光学部に反映する請求項１５に記載の回折型多焦点眼用レンズの製造方法。
【手続補正２】
【補正対象書類名】明細書
【補正対象項目名】００１０
【補正方法】変更
【補正の内容】
【００１０】
別の問題点としては、回折型多焦点眼内レンズが埋植された患者においては物を見る時、靄がかかったような、あるいは霧の中で物を見ているような愁訴があると言われていることが挙げられる。この症状は、なんとなくぼんやりと物が見えることからブラードビジョン（ｂｌｕｒｒｅｄ  ｖｉｓｉｏｎ）などと称されている。見え方の程度によってはワクシービジョン（ｗａｘｙ  ｖｉｓｉｏｎ）、あるいはワセリンビジョン（ｖａｓｅｌｉｎｅ  ｖｉｓｉｏｎ）という呼び方で言い表わされることもあり、油脂が薄く付着したガラス越しに物を見ているように見えることもあると言われている。
【手続補正３】
【補正対象書類名】明細書
【補正対象項目名】００５８
【補正方法】変更
【補正の内容】
【００５８】
なお、本態様においてｃ番目のキャンセルゾーンの回折光によって振幅分布を減少せしめる対象光は、ハロやブラードビジョンが問題とされる焦点において該焦点以外の地点に単一又は複数の焦点を形成する他の回折光が主たる対象光となる。そして、当該焦点における像面上に生成する光の振幅分布のうちハロやブラードビジョンに直接的・間接的に影響するものを適宜選択し、かかる振幅分布の抑制を目的とする回折光に応じて、ｉ番目およびｊ番目のゾーン位置が設定され、それに対応してｃ番目のキャンセルゾーンが設定され得る。
回折型多焦点眼用レンズに関する本発明の第２の態様は、第１の態様に係る回折型多焦点眼用レンズであって、前記ｉ番目のゾーンと前記ｊ番目のゾーンを含む前記回折構造による少なくとも一つの前記焦点の像面上でのサイドバンド域における光振幅強度のピークが、前記ｃ番目のゾーンにより低減されているものである。
【手続補正４】
【補正対象書類名】明細書
【補正対象項目名】００５９
【補正方法】変更
【補正の内容】
【００５９】
回折型多焦点眼用レンズに関する本発明の第３の態様は、第１又は２の態様に係る回折型多焦点眼用レンズであって、前記少なくとも二つの焦点のうちの一つの焦点が、前記回折構造の０次回折光によって与えられるものである。
【手続補正５】
【補正対象書類名】明細書
【補正対象項目名】００６１
【補正方法】変更
【補正の内容】
【００６１】
回折型多焦点眼用レンズに関する本発明の第４の態様は、第３の態様に係る回折型多焦点眼用レンズであって、前記回折構造の０次回折光によって与えられる焦点が、遠方視用焦点とされているものである。
【手続補正６】
【補正対象書類名】明細書
【補正対象項目名】００６３
【補正方法】変更
【補正の内容】
【００６３】
回折型多焦点眼用レンズに関する本発明の第５の態様は、第１〜４の何れかの態様に係る回折型多焦点眼用レンズであって、前記回折構造が、前記ゾーンの間隔が等しい等間隔領域を有しているものである。
【手続補正７】
【補正対象書類名】明細書
【補正対象項目名】００６４
【補正方法】変更
【補正の内容】
【００６４】
本態様によれば、回折ゾーンにおける回折構造の少なくとも一部が、等間隔の周期構造を有している。これにより、ブラードビジョンの原因であるサイドバンドについての定式化がより簡便となり、容易にその位置や大きさを特定してキャンセル用領域を設計することが可能となるのである。
回折型多焦点眼用レンズに関する本発明の第６の態様は、第５の態様に係る回折型多焦点眼用レンズであって、前記等間隔領域における前記ゾーンのうちの一つのゾーンが前記ｉ番目のゾーンとされていると共に他の一つのゾーンが前記ｊ番目のゾーンとされているものである。
回折型多焦点眼用レンズに関する本発明の第７の態様は、第６の態様に係る回折型多焦点眼用レンズであって、前記ｃ番目のゾーンの位置が、前記ｉ番目のゾーンと前記ｊ番目のゾーンの何れに対しても等間隔とは異なるゾーン間隔で設定されているものである。
【手続補正８】
【補正対象書類名】明細書
【補正対象項目名】００６５
【補正方法】変更
【補正の内容】
【００６５】
回折型多焦点眼用レンズに関する本発明の第８の態様は、前記第５〜７の何れかの態様に係る回折型多焦点眼用レンズであって、前記等間隔領域の少なくとも一部において、間隔を等しくした少なくとも二つのゾーンが隣接して設けられているものである。
【手続補正９】
【補正対象書類名】明細書
【補正対象項目名】００６７
【補正方法】変更
【補正の内容】
【００６７】
回折型多焦点眼用レンズに関する本発明の第９の態様は、前記第５〜８の何れかの態様に係る回折型多焦点眼用レンズであって、前記等間隔領域の少なくとも一部において、間隔を等しくした少なくとも二つのゾーンが隣接せずに離間して設けられているものである。
【手続補正１０】
【補正対象書類名】明細書
【補正対象項目名】００６８
【補正方法】変更
【補正の内容】
【００６８】
本態様によれば、等間隔のブレーズ形状のゾーンからなる回折構造を採用するに際して、ハロやブラードビジョンの低減効果を享受しつつ、等間隔ゾーンの設計自由度の向上が図られ得る。なお、本態様において、離間して設けられた等間隔領域を構成するゾーンとゾーンの間には、例えば別のゾーンが設けられていたり、ゾーンがない屈折面とされていたりしても良い。また、本態様９は、前記第８の態様と組み合わせて採用することも可能であり、それによって、隣接して等間隔に設けられたゾーンから構成された回折構造と、隣接せずに設けられた等間隔のゾーンから構成された回折構造との、両方を含んで等間隔領域が構成され得る。
【手続補正１１】
【補正対象書類名】明細書
【補正対象項目名】００６９
【補正方法】変更
【補正の内容】
【００６９】
回折型多焦点眼用レンズに関する本発明の第１０の態様は、前記第１〜９の何れかの態様に係る回折型多焦点眼用レンズであって、前記回折構造における少なくとも一部において、フレネル間隔の周期構造を有する少なくとも二つのゾーンが設けられているものである。
【手続補正１２】
【補正対象書類名】明細書
【補正対象項目名】００７０
【補正方法】変更
【補正の内容】
【００７０】
本態様によれば、フレネル間隔のブレーズ形状のゾーンからなる回折構造において、本発明を適用してハロやブラードビジョンを低減させる設計が効率的に実現可能となる。なお、本態様に従ってフレネル間隔の周期構造を有するゾーンで構成された回折構造を、前記第５〜９の何れかに記載の等間隔の周期構造を有するゾーンで構成された回折構造と組み合わせて採用して、本発明に係る回折型多焦点眼用レンズの光学部を構成することも可能である。
【手続補正１３】
【補正対象書類名】明細書
【補正対象項目名】００７１
【補正方法】変更
【補正の内容】
【００７１】
回折型多焦点眼用レンズに関する本発明の第１１の態様は、前記第１０の態様に係る回折型多焦点眼用レンズであって、前記フレネル間隔の外径が、下式数１３で与えられるものである。
【手続補正１４】
【補正対象書類名】明細書
【補正対象項目名】００７５
【補正方法】変更
【補正の内容】
【００７５】
回折型多焦点眼用レンズに関する本発明の第１２の態様は、前記第１〜１１の何れかの態様に係る回折型多焦点眼用レンズであって、前記ブレーズ形状の位相関数が、下式数１５で表わされるものである。
【手続補正１５】
【補正対象書類名】明細書
【補正対象項目名】００７７
【補正方法】変更
【補正の内容】
【００７７】
回折型多焦点眼用レンズに関する本発明の第１３の態様は、前記第１２の態様に係る回折型多焦点眼用レンズであって、前記位相関数の位相ずれ量が、下式数１６の範囲にあるものである。
【手続補正１６】
【補正対象書類名】明細書
【補正対象項目名】００７９
【補正方法】変更
【補正の内容】
【００７９】
回折型多焦点眼用レンズに関する本発明の第１４の態様は、前記第１〜１３の何れかの態様に係る回折型多焦点眼用レンズであって、前記回折構造が、位相に相当する光路長を反映したレリーフ構造によって構成されているものである。
【手続補正１７】
【補正対象書類名】明細書
【補正対象項目名】００８１
【補正方法】変更
【補正の内容】
【００８１】
回折型多焦点眼用レンズの製造方法に関する本発明の第１の態様は、同心円状の複数のゾーンを有する回折構造が設けられた光学部を備えていると共に、該回折構造の一部または全部のゾーンにおいてブレーズ形状の位相関数を有しており、且つ、該光学部によって少なくとも二つの焦点が与えられる回折型多焦点眼用レンズを製造するに際して、（ア）前記ブレーズ形状の位相関数を有するゾーンにおけるｉ番目のゾーンの内径ｒi-1 及び外径ｒi と、ｊ番目のゾーンの内径ｒj-1 及び外径ｒj と、該ゾーンとは異なる別のｃ番目のゾーンの内径ｒc-1 及び外径ｒc とを、下式数１７を用いて設定することによりそれら各ゾーン位置を決定するＣｏｓ関数利用工程と、（イ）前記ブレーズ形状の位相関数を有するゾーンにおけるｉ番目のゾーンの内径ｒi-1 及び外径ｒi と、ｊ番目のゾーンの内径ｒj-1 及び外径ｒj と、該ゾーンとは異なる別のｃ番目のゾーンの内径ｒc-1 及び外径ｒc とを、下式数１８を用いて設定することによりそれら各ゾーン位置を決定するＳｉｎｃ関数利用工程との、少なくとも一方の工程を経て前記回折構造を設定して得られた該回折構造のプロファイルを前記光学部に反映することにより該光学部を形成することを特徴とする。なお、前述したように内径又は外径として各ｒ値は、本発明において半径寸法を表すものである。
【手続補正１８】
【補正対象書類名】明細書
【補正対象項目名】００８３
【補正方法】変更
【補正の内容】
【００８３】
【数１８】
2014228660.tif 000008
回折型多焦点眼用レンズの製造方法に関する本発明の第２の態様は、前記第１の態様に係る回折型多焦点眼用レンズの製造方法であって、前記Ｃｏｓ関数利用工程と前記Ｓｉｎｃ関数利用工程との少なくとも一方の工程を経て前記回折構造を設定して得られた該回折構造のプロファイルを採用することにより、前記ｉ番目のゾーンと前記ｊ番目のゾーンを含む前記回折構造による少なくとも一つの前記焦点の像面上でのサイドバンド域における光振幅強度のピークが、前記ｃ番目のゾーンにより低減されるように前記光学部に反映するものである。
【手続補正１９】
【補正対象書類名】明細書
【補正対象項目名】０２０６
【補正方法】変更
【補正の内容】
【０２０６】
【表１６】
2014228660.tif 000009
【手続補正２０】
【補正対象書類名】明細書
【補正対象項目名】０２０７
【補正方法】変更
【補正の内容】
【０２０７】
実施例９−２
実施例３−１のプロファイルに対して周辺にｃ番目のゾーンを、屈折領域を介して新たに追加した事例である。実施例３−１は各次数のサイドバンドが低減されているが、ｑ＝２の次数のサイドバンドがまだ少し大きいのでかかるサイドバンド強度をさらに低減させるために新たにｃ番目のゾーンを周辺に追加して低減を試みた例である。周辺に新たに追加したｃ番目のゾーンの間隔を、Ｅsincダイアグラム上で次数ｑ＝４の第３番目の節、N[４＿３] となるようにΔｒc ＝０．２６２５ｍｍとし、かつｃ番目の位置を数２７に基づきＥcos ＃２2 ＝０となるように設定したものである。かかるプロファイルを図３４（ａ）及び表１７に示す。実施例３−１の周辺にｃ番目のゾーンが屈折領域を介して設定されているのが分かる。かかるプロフィルの像面強度分布を図３４（ｂ、ｃ、ｄ）に示す。図から分かるようにｑ＝２のサイドバンド強度が実施例３−１よりもさらに低減されていることが分かる。
【手続補正２１】
【補正対象書類名】図面
【補正対象項目名】図８
【補正方法】変更
【補正の内容】
【図８】
2014228660.tif 000010